(57)【要約】【課題】自然風で回転する回転式ベンチレーターを用いて広範囲に拡散することができる香気拡散装置及びその香気拡散装置を用いた害獣忌避方法を提供すること。【解決手段】底面が円形の容器で、前記害獣が避ける忌避剤または香りを発する液体を配置する容器手段と、円筒形で、前記容器手段の上部に取り付ける本体手段と、前記本体手段に回転可能に保持されるベンチレーター手段と、前記本体手段を支持する円柱形の支柱手段とを有し、前記ベンチレーター手段は、複数の窓部を備える略円筒形であり、該ベンチレーター手段の中心部を前記本体手段の中心軸部材で回転可能に保持されて、風が前記複数の窓部に当たったときの風力で回転し、前記容器手段は、前記ベンチレーター手段が回転したときに、気化した前記忌避剤または前記香りを前記本体手段の円筒形の内部を通過させて、周囲に拡散する、ことを特徴とする。【選択図】図１
2018093738.tif 000002
【特許請求の範囲】
【請求項１】
害獣を忌避するための香気拡散装置であって、
底面が円形の容器で、前記害獣が避ける忌避剤または香りを発する液体を配置する容器手段と、
円筒形で、前記容器手段の上部に取り付ける本体手段と、
前記本体手段に回転可能に保持されるベンチレーター手段と、
前記本体手段を支持する円柱形の支柱手段と
を有し、
前記ベンチレーター手段は、複数の窓部を備える略円筒形であり、該ベンチレーター手段の中心部を前記本体手段の中心軸部材で回転可能に保持されて、風が前記複数の窓部に当たったときの風力で回転し、
前記容器手段は、前記ベンチレーター手段が回転したときに、気化した前記忌避剤または前記香りを前記本体手段の円筒形の内部を通過させて、周囲に拡散する、
ことを特徴とする香気拡散装置。
【請求項２】
害獣を忌避するためのゴルフ場用の香気拡散装置であって、
底面が円形の容器で、前記害獣が避ける忌避剤または香りを発する液体を配置する容器手段と、
円筒形で、前記容器手段の上部に取り付ける本体手段と、
前記本体手段に回転可能に保持されるベンチレーター手段と
を有し、
前記ベンチレーター手段は、複数の窓部を備える略円筒形であり、該ベンチレーター手段の中心部を前記本体手段の中心軸部材で回転可能に保持されて、風が前記複数の窓部に当たったときの風力で回転し、
前記容器手段は、前記ベンチレーター手段が回転したときに、気化した前記忌避剤または前記香りを前記本体手段の円筒形の内部を通過させて、周囲に拡散し、
前記本体手段は、外径が１１５ｍｍであり、
前記容器手段は、外径が８０ｍｍであり、
ゴルフ場のグリーンのカップに前記本体手段を載置して、該カップに前記容器手段を入れて配置する、 
ことを特徴とするゴルフ場用の香気拡散装置。
【請求項３】
害獣を忌避するための香気拡散装置を用いた害獣忌避方法であって、
前記香気拡散装置は、
底面が円形の容器で、前記害獣が避ける忌避剤または香りを発する液体を配置する容器手段と、
円筒形で、前記容器手段の上部に取り付ける本体手段と、
前記本体手段に回転可能に保持されるベンチレーター手段と、
前記本体手段を支持する円柱形の支柱手段と
を有し、
前記ベンチレーター手段は、複数の窓部を備える略円筒形であり、該ベンチレーター手段の中心部を前記本体手段の中心軸部材で回転可能に保持されて、風が前記複数の窓部に当たったときの風力で回転し、
前記容器手段は、前記ベンチレーター手段が回転したときに、気化した前記忌避剤または前記香りを前記本体手段の円筒形の内部を通過させて、周囲に拡散し、
前記容器手段に前記忌避剤または前記液体を配置する忌避剤配置ステップと、
前記容器手段の上部に前記本体手段を取り付け、前記本体手段で前記ベンチレーター手段を回転可能に保持し、前記本体手段を支持した前記支柱手段を地表に突き刺す装置配置ステップと、
前記ベンチレーター手段を前記複数の窓部に当たった前記風力で回転する忌避剤拡散ステップと
を含む、
ことを特徴とする香気拡散装置を用いた害獣忌避方法。
【発明の詳細な説明】
【技術分野】
【０００１】
本発明は、害獣を忌避するための香気拡散装置及びその香気拡散装置を用いた害獣忌避方法に関する。
【背景技術】
【０００２】
特許文献１には、有効成分として、ホウ素原子及び／又はゲルマニウム原子を含む化合物含有し、該化合物を含浸させたおがくず等の多孔質性を有する含浸体と、砂等の粒状形状を有する重量材からなり、これを害獣の侵入を防止すべき領域に散布することにより、イノシシ等の害獣の侵入を防止できる害獣用忌避剤に関する技術を開示している。
【先行技術文献】
【特許文献】
【０００３】
【特許文献１】実開２０１２‐１４９９号公報
【発明の概要】
【発明が解決しようとする課題】
【０００４】
しかしながら、特許文献１に開示されている技術では、効率的に広範囲に忌避剤を拡散する方法の記載がない。
【０００５】
本発明は、害獣を忌避するための香気拡散装置及びその香気拡散装置を用いた害獣忌避方法であって、自然風で回転する回転式ベンチレーターを用いて広範囲に拡散することができる香気拡散装置及びその香気拡散装置を用いた害獣忌避方法を提供することを目的とする。
【課題を解決するための手段】
【０００６】
上記課題を解決するために、本発明の一つの実施形態は、害獣を忌避するための香気拡散装置であって、底面が円形の容器で、前記害獣が避ける忌避剤または香りを発する液体を配置する容器手段と、円筒形で、前記容器手段の上部に取り付ける本体手段と、前記本体手段に回転可能に保持されるベンチレーター手段と、前記本体手段を支持する円柱形の支柱手段とを有し、前記ベンチレーター手段は、複数の窓部を備える略円筒形であり、該ベンチレーター手段の中心部を前記本体手段の中心軸部材で回転可能に保持されて、風が前記複数の窓部に当たったときの風力で回転し、前記容器手段は、前記ベンチレーター手段が回転したときに、気化した前記忌避剤または前記香りを前記本体手段の円筒形の内部を通過させて、周囲に拡散する、ことを特徴とする香気拡散装置を提供する。
【０００７】
本発明の他の実施形態は、害獣を忌避するためのゴルフ場用の香気拡散装置であって、底面が円形の容器で、前記害獣が避ける忌避剤または香りを発する液体を配置する容器手段と、円筒形で、前記容器手段の上部に取り付ける本体手段と、前記本体手段に回転可能に保持されるベンチレーター手段とを有し、前記ベンチレーター手段は、複数の窓部を備える略円筒形であり、該ベンチレーター手段の中心部を前記本体手段の中心軸部材で回転可能に保持されて、風が前記複数の窓部に当たったときの風力で回転し、前記容器手段は、前記ベンチレーター手段が回転したときに、気化した前記忌避剤または前記香りを前記本体手段の円筒形の内部を通過させて、周囲に拡散し、前記本体手段は、外径が１１５ｍｍであり、前記容器手段は、外径が８０ｍｍであり、ゴルフ場のグリーンのカップに前記本体手段を載置して、該カップに前記容器手段を入れて配置する、ことを特徴とするゴルフ場用の香気拡散装置であってもよい。
【０００８】
本発明の他の実施形態は、害獣を忌避するための香気拡散装置を用いた害獣忌避方法であって、前記香気拡散装置は、底面が円形の容器で、前記害獣が避ける忌避剤または香りを発する液体を配置する容器手段と、円筒形で、前記容器手段の上部に取り付ける本体手段と、前記本体手段に回転可能に保持されるベンチレーター手段と、前記本体手段を支持する円柱形の支柱手段とを有し、前記ベンチレーター手段は、複数の窓部を備える略円筒形であり、該ベンチレーター手段の中心部を前記本体手段の中心軸部材で回転可能に保持されて、風が前記複数の窓部に当たったときの風力で回転し、前記容器手段は、前記ベンチレーター手段が回転したときに、気化した前記忌避剤または前記香りを前記本体手段の円筒形の内部を通過させて、周囲に拡散し、前記容器手段に前記忌避剤または前記液体を配置する忌避剤配置ステップと、前記容器手段の上部に前記本体手段を取り付け、前記本体手段で前記ベンチレーター手段を回転可能に保持し、前記本体手段を支持した前記支柱手段を地表に突き刺す装置配置ステップと、前記ベンチレーター手段を前記複数の窓部に当たった前記風力で回転する忌避剤拡散ステップとを含む、ことを特徴とする香気拡散装置を用いた害獣忌避方法であってもよい。
【発明の効果】
【０００９】
本発明に係る香気拡散装置及びその香気拡散装置を用いた害獣忌避方法によれば、自然風で回転する回転式ベンチレーターを用いて広範囲に拡散することができる。
【図面の簡単な説明】
【００１０】
【図１】本発明の実施形態に係る香気拡散装置の一例を説明する説明図である。
【図２】本発明の実施形態に係る香気拡散装置の容器手段、本体手段およびベンチレーター手段の例を説明する説明図である。
【図３】本発明の実施形態に係る香気拡散装置の支柱手段の一例を説明する説明図である。
【図４】本発明の実施形態に係る香気拡散装置の使用例を説明する説明図である。
【図５】本発明の実施形態に係る香気拡散装置を用いた害獣忌避方法の一例を説明するフローチャート図である。
【発明を実施するための形態】
【００１１】
実施形態に係る香気拡散装置の例を用いて、本発明を説明する。なお、本発明は、以後に説明する香気拡散装置以外でも、自然風で回転する回転式ベンチレーターを用いるものであれば、いずれのものにも用いることができる。なお、香気拡散装置の素材や色は、特に限定されない。また、香気拡散装置の色は、透明、半透明、色付きのものであってもよい。また、香気拡散装置の隅部は、角ばっていてもよく、丸みを帯びていてもよい。
【００１２】
以後に、本発明を説明する。
【００１３】
図１乃至図４を用いて、本発明の実施形態に係る香気拡散装置の構成を説明する。ここで、図１は、本発明の実施形態に係る香気拡散装置１００の一例を説明する説明図である。図２は、本発明の実施形態に係る香気拡散装置１００の容器手段１１、本体手段１２およびベンチレーター手段１３の例を説明する説明図である。図３は、本発明の実施形態に係る香気拡散装置１００の支柱手段１４の例を説明する説明図である。図４は、本発明の実施形態に係る香気拡散装置１００の使用例を説明する説明図である。なお、図１等に示す香気拡散装置の構成等は一例であり、本発明は図１等に示す香気拡散装置等に限定されるものではない。
【００１４】
図１に示すように、本発明に係る香気拡散装置１００は、害獣を忌避するための装置である。図４に示すように、香気拡散装置１００は、支柱手段１４（後述）を農地などに突き刺して固定し、害獣が避ける忌避剤または香りを発する液体を高所から拡散することができる。香気拡散装置１００は、図１乃至図３に示すように、害獣が避ける忌避剤または香りを発する液体を配置する容器手段１１と、容器手段１１の上部に取り付ける本体手段１２と、本体手段１２に回転可能に保持されるベンチレーター手段１３と、本体手段１２を支持する円柱形の支柱手段１４とを有する。
【００１５】
図２に示すように、容器手段１１は、害獣が避ける忌避剤または香りを発する液体を内部（図中のＬｅ）に配置する容器である。容器手段１１は、本実施形態では、底面が円形の容器である。忌避剤は、例えばジャトロファエキスを用いることができる。容器手段１１（香気拡散装置１００）は、ベンチレーター手段１３が回転したときに、気化した忌避剤または液体の香りを本体手段１２の円筒形の内部を通過させて、周囲に拡散することができる。なお、忌避剤や害獣が避ける香りを発する液体は、公知の技術を用いることができる。
【００１６】
図１および図２に示すように、本体手段１２は、容器手段１１の上部に取り付ける手段である。本体手段１２は、円筒形の外形であり、ベンチレーター手段１３の中心部を回転可能に保持する中心軸部材（例えば棒状部材）を更に備える。なお、ベンチレーター手段１３の中心部を回転可能に保持する方法は、公知の技術を用いることができる。
【００１７】
図１および図２に示すように、ベンチレーター手段１３は、気化した忌避剤または香りを周囲に拡散する手段である。ベンチレーター手段１３は、略円筒形であり、本体手段１２に回転可能に保持される。また、ベンチレーター手段１３は、図２に示すように、複数の窓部１３ａおよび羽根部１３ｂを備える。ベンチレーター手段１３は、中心部を本体手段１２の中心軸部材（不図示）で回転可能に保持されて、風が複数の窓部１３ａおよび／または羽根部１３ｂに当たったときの風力で回転（例えば自転）する。これにより、香気拡散装置１００は、ベンチレーター手段１３が回転したときに、気化した忌避剤または液体の香りを本体手段１２の円筒形の内部を通過させて、ベンチレーター手段１３の回転時の遠心力を利用して、複数の窓部１３ａから周囲に効率的に広範囲に拡散することができる。また、ベンチレーター手段１３の上部は、羽根部１３ｂで覆われているため、外部（雨や露、日光など）から、容器手段１１の内部の忌避剤または香りを発する液体を隔離（または保護）することができる。
【００１８】
図１および図３に示すように、支柱手段１４は、香気拡散装置１００を支持する手段である。支柱手段１４は、図４に示すように、本実施形態では、本体手段１２を支持し、農地などに突き刺して、固定することができる。これにより、香気拡散装置１００は、所望の位置に容易に配置でき、ベンチレーター手段１３が回転したときに、高所から、気化した忌避剤または液体の香りを拡散することができるので、忌避剤または香りを広範囲に拡散することができる。
【００１９】
図２に示すように、香気拡散装置１００は、害獣を忌避するためのゴルフ場用の装置であって、害獣が避ける忌避剤または香りを発する液体を配置する容器手段１１と、容器手段１１の上部に取り付ける本体手段１２と、本体手段１２に回転可能に保持されるベンチレーター手段１３とを有し、本体手段の外径が１１５ｍｍであり、容器手段の外径が８０ｍｍであり、ゴルフ場のグリーンのカップに本体手段１２を載置して、カップに容器手段１１を入れて配置し、ゴルフ場用の香気拡散装置（害獣忌避方法）として使用することができる。
【００２０】
図５を用いて、香気拡散装置を用いた害獣忌避方法を説明する。ここで、図５は、本発明の実施形態に係る香気拡散装置を用いた害獣忌避方法を説明するフローチャート図である。なお、図５に示す害獣忌避方法は一例であり、本発明は図５に示す害獣忌避方法に限定されるものではない。
【００２１】
図５に示すように、本発明に係る害獣忌避方法は、前述の香気拡散装置１００を用いて、ステップＳ５０１において、先ず、害獣を忌避する動作を開始する。香気拡散装置を用いた害獣忌避方法は、例えば農業者・ゴルフ場管理会社など（以下、「使用者」という。）の都合のよいタイミングで、害獣を忌避する動作を開始することができる。その後、本発明に係る香気拡散装置を用いた害獣忌避方法は、ステップＳ５０２に進む。
【００２２】
次に、本発明に係る香気拡散装置を用いた害獣忌避方法は、ステップＳ５０２において、使用者によって、容器手段１１（図２）に忌避剤または液体を配置する（忌避剤配置ステップ）。その後、本発明に係る香気拡散装置を用いた害獣忌避方法は、ステップＳ５０３に進む。なお、忌避剤または液体は例えばジャトロファエキスでもよいし、その他の公知の忌避剤または液体でもよい。
【００２３】
次いで、本発明に係る香気拡散装置を用いた害獣忌避方法は、ステップＳ５０３において、容器手段１１の上部に本体手段１２（図１および図２）を取り付け、本体手段１１でベンチレーター手段１３（図１および図２）を回転可能に保持し、本体手段１２を支持した支柱手段１４（図３）を地表に突き刺す（装置配置ステップ）。本発明に係る香気拡散装置を用いた害獣忌避方法は、例えば農地やゴルフ場（のグレーンのカップ）に配置してもよい。その後、本発明に係る香気拡散装置を用いた害獣忌避方法は、ステップＳ５０４に進む。
【００２４】
本発明に係る香気拡散装置を用いた害獣忌避方法は、ステップＳ５０４において、複数の窓部１３ａまたは羽根部１３ｂ（図２）に当たった風力（自然風など）でベンチレーター手段１３を回転する（忌避剤拡散ステップ）。これにより、本発明に係る香気拡散装置を用いた害獣忌避方法は、忌避剤または香りを広範囲に拡散することができる。その後、本発明に係る香気拡散装置を用いた害獣忌避方法は、ステップＳ５０５に進む。
【００２５】
ステップＳ５０５において、本発明に係る香気拡散装置を用いた害獣忌避方法は、害獣を忌避する動作を繰り返すか否かを判断する。これにより、本発明に係る香気拡散装置を用いた害獣忌避方法は、所望の間（例えば夜間のみ）、害獣を忌避する動作を繰り返すことができる。その後、害獣を忌避する動作を繰り返すと判断した場合には、本発明に係る香気拡散装置を用いた害獣忌避方法は、ステップＳ５０６に進む。なお、そのまま放置して（ステップＳ５０６を実施しないで）、ステップＳ５０２に戻ってもよい。害獣を忌避する動作を終了すると判断した場合には、本発明に係る香気拡散装置を用いた害獣忌避方法は、図中の「ＥＮＤ」に進み、動作を終了する。
【００２６】
本発明に係る香気拡散装置を用いた害獣忌避方法は、ステップＳ５０６において、容器手段１１（図２）に忌避剤または液体を補充する（忌避剤補充ステップ）。その後、本発明に係る香気拡散装置を用いた害獣忌避方法は、ステップＳ５０２に戻る。
【００２７】
以上のとおり、本発明に係る香気拡散装置を用いた害獣忌避方法は、所望の間、所望の位置で、香気拡散装置を用いた害獣を忌避する動作を継続することができる。また、本発明に係る香気拡散装置を用いた害獣忌避方法は、自然風で回転する回転式ベンチレーターを用いて、ベンチレーター手段１３の回転時の遠心力を利用して、複数の窓部１３ａから周囲に効率的に広範囲に忌避剤などを拡散することができる。また、本発明に係る香気拡散装置を用いた害獣忌避方法は、自然風で換気する回転式ベンチレーターなので、自然の風力で稼動し、経費削減だけでなく、環境に優しい。また、本発明に係る香気拡散装置を用いた害獣忌避方法は、景観を崩さず、ゴルフ場のグリーンにも対応した機能的なデザインである。また、本発明に係る香気拡散装置を用いた害獣忌避方法は、害獣忌避剤・液の香気を自然換気回転式ベンチレーターによって拡散させる方法ゆえに土壌汚染をする事もなく、電力や熱源を必要とせずに害獣忌避の助長ができるので環境に優しい。
【００２８】
以上のとおり、本発明に係る実施形態について説明したが、本発明は上記の実施形態に限定されるものではない。すなわち、本発明は、特許請求の範囲に記載の内容に基づいて、様々に変形、変更又はその他任意に改変され得る。
【符号の説明】
【００２９】
１００  ：  香気拡散装置
１１  ：  容器手段
１２  ：  本体手段
１３  ：  ベンチレーター手段
１３ａ：  窓部
１３ｂ：  羽根部
１４  ：  支柱手段
Ｌｅ：  忌避剤または香りを発する液体
【図１】
2018093738.tif 000003
【図２】
2018093738.tif 000004
【図３】
2018093738.tif 000005
【図４】
2018093738.tif 000006
【図５】
2018093738.tif 000007